(57)【要約】【課題】  本発明は小型のＰＣカードに用いられ、且つＰＣカードが平滑に挿入され、且つ製造費用が低く、製造が簡単になるカードコネクタを提供する。【解決手段】  本発明のカードコネクタは、ハウジングと、該ハウジングに取り付けられる絶縁本体と、該絶縁本体に取り付けられる導電端子と、を含む。その中で、前記ハウジングは、複数の側壁と、スペースと、前記側壁に設置される複数の第１突部と、前記スペースに設置される複数の第２突部と、該第１突部と第２突部からなる導入槽と、を有する。【選択図】図２
2005150088.tif 000002
【特許請求の範囲】
【請求項１】
カードコネクタにおいて、
複数の側壁と、スペースと、該側壁に設置される複数の第１突部と、該スペースに設置される複数の第２突部と、該第１突部と第２突部からなる第１導入槽、第２導入槽と、を含むハウジングと、
該ハウジングに取り付けられる絶縁本体と、
該絶縁本体に取り付けられる導電端子と、
を備えることを特徴とするカードコネクタ。
【請求項２】
前記複数の第２突部は、突出するように二つの縦列に配列され、隣接する第２突部の間に隙間を空けることを特徴とする請求項１に記載のカードコネクタ。
【請求項３】
前記複数の第１突部は、お互いに連接し、第２突部と対向するように突出することを特徴とする請求項２に記載のカードコネクタ。
【請求項４】
弾性を有する弾性アームが、前記両列での両対の隣接する第２突部の間に設置されることを特徴とする請求項２に記載のカードコネクタ。
【請求項５】
前記ハウジングは、本体部と、第１側壁と、第１側壁と垂直に設置される第２側壁と、該第２側壁と相隣して連接しなくて、第１フランジを含む第３側壁と、第３側壁に対向して、第２フランジを含む第４側壁と、第４側壁と相隣して連接しない第５側壁と、それらの側壁に囲まれるスペースと、を含むことを特徴とする請求項１に記載のカードコネクタ。
【請求項６】
前記第１突部は、前記第３側壁の第１フランジと第４側壁の第２フランジに配置されることを特徴とする請求項５に記載のカードコネクタ。
【請求項７】
前記複数の第２突部は、前記ハウジングのスペースに設置されることを特徴とする請求項５に記載のカードコネクタ。
【請求項８】
前記第３側壁の第１フランジと前記第４側壁の第２フランジには、定位孔を有する定位部が設けられることを特徴とする請求項５に記載のカードコネクタ。
【請求項９】
前記絶縁本体は、導電端子が配置される底部と、側壁と、係合塊が設けられる前壁とを含むことを特徴とする請求項１に記載のカードコネクタ。
【請求項１０】
前記ハウジングには、前記係合塊に係合する開槽が開設されることを特徴とする請求項９に記載のカードコネクタ。
【発明の詳細な説明】
【技術分野】
【０００１】
本発明は電気コネクタに関し、特に、パーソナルコンピューターに用いてカードを収容するための電気コネクタに関するものである。
【背景技術】
【０００２】
一種の電子カードは、絶縁本体と、該絶縁本体に収容される導電端子と、絶縁本体に取り付けられるハウジングと、を備える。該絶縁本体は、本体部と、カードを接続する実装部と、該実装部から縦長方向に沿って延設される一対の導入アームとを含む。該一対の導入アームの間に、カードを収容するスペースが形成されるとともに、該一対の導入アームには、前記スペースを向いて開設する導入槽が形成される。ハウジングには、絶縁本体のスペースを囲んで、絶縁本体の導入アームの外側を覆う側部が設置される。特許文献１にもこの種のカードコネクタが記載されている。ところが、該カードコネクタには導入アームが設置されているため、該カードコネクタの製造費用が高くなるとともに、製造が複雑になる。
【特許文献１】米国特許文献第６，１２０，３２２号
【発明の開示】
【発明が解決しようとする課題】
【０００３】
本発明は、ＰＣカードが平滑に挿入され、且つ製造費用が低く、製造が簡単になるカードコネクタを提供する。
【課題を解決するための手段】
【０００４】
本発明のカードコネクタは、ハウジングと、該ハウジングに取り付けられる絶縁本体と、該絶縁本体に取り付けられる導電端子と、を含む。その中で、前記ハウジングは、複数の側壁と、スペースと、前記側壁に設置される複数の第１突部と、前記スペースに設置される複数の第２突部と、該第１突部と第２突部からなる導入槽と、を有する。
【発明の効果】
【０００５】
従来の技術に比べると、本発明は以下の長所がある。本発明のカードコネクタは、スペースに位置する第１突部と第２突部からなる導入槽によって、ＰＣカードがカードコネクタに平滑に挿入される。そして、該カードコネクタの製造費用が低くなり、製造が簡単になる。
【発明を実施するための最良の形態】
【０００６】
図１〜図３を参照すると、本発明のカードコネクタ１００は、絶縁本体１と、導電端子２と、ハウジング３と、を備える。図２に示されるように、該絶縁本体１は、底部１２と、該底部１２から上向きに伸びる一対の側壁１１と、該一対の側壁１１に連接する前壁１３と、底部１２から下向きに突伸し、外部の設備に接続される定位脚１４と、を含む。該側壁１１には、凹槽１１１と、該凹槽１１１に嵌め込まれる係合片１１２とが設置される。該係合片１１２には上向きに突出する耳片１１２１が設けられる。前記前壁１３の中央には前へ突出する係合塊１３１が設置される。
【０００７】
図２を参照すると、複数の導電端子２は行列で配列される。それは、保持部２２と、該保持部２２の一端から下向きに折り曲がる半田部２１と、該保持部２２の他の一端から上向きに折り曲がる接触部２３とを含む。
【０００８】
図３を参照すると、ハウジング３は、本体部３０と、該本体部３０から下向きに伸びる、第１側壁３１と、第１側壁３１と垂直に設置される第２側壁３２と、該第２側壁３２と相隣して連接しなくて、第１フランジ３３１を含む第３側壁３３と、第３側壁３３に対向して、第２フランジ３４１を含む第４側壁３４と、第４側壁３４と相隣して連接しない第５側壁３５と、それらの側壁３１，３２，３３，３４，３５に囲まれるスペース３６と、を備える。その中で、第１側壁３１の中央には開槽３１１が開設される。第２側壁３２と第５側壁３５には、狭いスロット３２１、３５１が開設される。第３側壁３３と第４側壁３４は、第２側壁３２と第５側壁３５の内側に、お互いに平行に設置される。第３側壁３３の第１フランジ３３１と第４側壁３４の第２フランジ３４１には、本体部３０に向かって、お互いに連接する複数の第１突部３３１１，３４１１が両列をなすように設けられる。且つ、定位孔３３２１、３４２１を有し、定位や接地などのための定位部３３２、３４２が、第１フランジ３３１、第２フランジ３４１に位置する。スペース３６に、縦列に配列される第２突部３０１が、前記第１突部３３１１、３４１１に対向するように突出する。隣接する第２突部３０１の間に隙間を空け、一対の隣接する第２突部３０１の間に、弾性を有する弾性アーム３０２が設置される。そして、第３側壁３３の第１突部３３１１、第４側壁３４の第１突部３４１１とそれらに対応する第２突部３０１、弾性アーム３０２とから、第１導入槽３０３、第２導入槽３０４が形成される。
【０００９】
図１及び図２を参照すると、カードコネクタ１００を取り付ける時、まず、前記導電端子２を絶縁本体１に結合する。保持部２２が絶縁本体１の底部１２に位置し、半田部２１が絶縁本体１の前壁１３から伸出する。次に、導電端子２を有する絶縁本体１をハウジング３に組み合わせる時、絶縁本体１の係合片１１２は凹槽１１１に嵌め込まれ、係合片１１２の耳片１１２１がハウジング３のスロット３２１、３５１に係合する。且つ、絶縁本体１の係合塊１３１がハウジング３の開槽３１１に係合する。ハウジング３の定位部３３２、３４２と絶縁本体１の定位脚１４が外部の設備に接続される。
【００１０】
図３を参照すると、使用時には、カードが、ハウジング３の第１導入槽３０３、第２導入槽３０４によって、スペース３６に挿入され、絶縁本体１に連接し、導電端子２の接触部２３に接触し、導電端子２と電気接続を達成する。
【００１１】
総じて、本発明の多数の特徴及び長所など、その構造及び機能が共に前述の記載により掲げられている。また前記の説明は、本発明に基づきなしうる細部の修正或は変更など、いずれも本発明の請求範囲に属するものとする。
【産業上の利用可能性】
【００１２】
本発明はカードコネクタに関し、特に、ＰＣカードが平滑に挿入され、且つ製造費用が低く、製造が簡単になるカードコネクタに関するものである。
【図面の簡単な説明】
【００１３】
【図１】本発明のカードコネクタの立体組合図である。
【図２】本発明のカードコネクタの分解図である。
【図３】本発明のカードコネクタのハウジングの立体図である。
【符号の説明】
【００１４】
１  絶縁本体
２  導電端子
３  ハウジング
１１  側壁
１２  底部
１３  前壁
１４  定位脚
２１  半田部
２２  保持部
２３  接触部
３０  本体部
３１  第１側壁
３２  第２側壁
３３  第３側壁
３４  第４側壁
３５  第５側壁
３６  スペース
１００  カードコネクタ
１１１  凹槽
１１２  係合片
１３１  係合塊
３０１  第２突部
３０２  弾性アーム
３０３  第１導入槽
３０４  第２導入槽
３１１  開槽
３２１、３５１  スロット
３３１  第１フランジ
３３２、３４２  定位部
３４１  第２フランジ
１１２１  耳片
３３１１、３４１１  第１突部
３３２１、３４２１  定位孔
【図１】
2005150088.tif 000003
【図２】
2005150088.tif 000004
【図３】
2005150088.tif 000005